(57)【要約】      （修正有）【課題】光コネクタどうしの接続状態の確認を容易にする接続装置を提供する。【解決手段】接続装置５８は、光により接続される一方の光コネクタ２６の端子に光を導く導光部材（第１光ファイバ４６）と、一方の光コネクタ２６の端子から他方の光コネクタ２８の端子を通った光を視認するための視認部材（窓部材５２）と、を有する。【選択図】図３
2015191121.tif 000002
【特許請求の範囲】
【請求項１】
光により接続される第１光コネクタ及び第２光コネクタを備える光コネクタ対と、
前記第１光コネクタ及び前記第２光コネクタのいずれか一方の光コネクタの端子に光を導く導光部材と、
前記一方の光コネクタの端子から他方の光コネクタの端子を通った前記光を視認するための視認部材と、
を有する接続装置。
【請求項２】
前記接続装置はさらに、前記光コネクタ対を複数有し、
前記導光部材が、複数の前記光コネクタ対のそれぞれにおける前記一方の光コネクタの端子に導光する請求項１に記載の接続装置。
【請求項３】
前記導光部材が、
光源から前記一方の光コネクタの端子に導光する第１光ファイバを有する請求項１又は請求項２に記載の接続装置。
【請求項４】
前記視認部材が、
視認用の窓部材と、
前記光を前記他方の光コネクタから前記窓部材に導く第２光ファイバと、
を有する請求項１〜請求項３のいずれか１項に記載の接続装置。
【請求項５】
前記窓部材及び前記第２光ファイバを前記光コネクタ対と同数有し、
前記第２光ファイバのそれぞれが前記他方の光コネクタから前記窓部材へ導光する請求項４に記載の接続装置。
【請求項６】
前記光コネクタ対を複数有し、
前記導光部材が、特定の光コネクタ対における前記一方の光コネクタから、他の光コネクタ対へ順に導光路を形成する請求項１に記載の接続装置。
【請求項７】
演算処理装置と、前記演算処理装置からの光信号が入力する複数の第１光コネクタと、を備える複数の計算機ユニットと、
前記第１光コネクタとそれぞれ光により接続される複数の第２光コネクタを備え、前記第２光コネクタからの信号線を並べ替えて出力する複数の整線装置と、
前記第１光コネクタ及び前記第２光コネクタのいずれか一方の光コネクタの端子に光を導く導光部材と、
前記一方の光コネクタの端子から他方の光コネクタの端子を通った前記光を視認するための視認部材と、
を有する計算機システム。
【請求項８】
演算処理装置と、前記演算処理装置からの光信号が入力する複数の第１光コネクタと、を備える複数の計算機ユニットを、
前記第１光コネクタとそれぞれ光により接続される複数の第２光コネクタを備え、前記第２光コネクタからの信号線を並べ替えて出力する複数の整線装置を介して接続し、
前記第１光コネクタ及び前記第２光コネクタのいずれか一方の光コネクタの端子に導光部材で光を導き、
前記一方の光コネクタの端子から他方の光コネクタの端子を通った前記光を視認部材で視認する計算機システムの接続方法。
【発明の詳細な説明】
【技術分野】
【０００１】
本発明は接続装置、計算機システム及び計算機システムの接続方法に関する。
【背景技術】
【０００２】
光ケーブルの一端のコネクタを挿入する差込み口の背面に、複数本の光ファイバのそれぞれに対応して異なる色相あるいは発光パターンの光源を設け、光ケーブルの他端のコネクタから光の状態を観察して接続を確認する装置がある。
【０００３】
また、一本以上の光ファイバ心線を有する光ファイバケーブルの両端断面のうち、一端の断面に可視光線を発する発光器を対向させて光ファイバ心線の全体に可視光線を通し、他端の断面を目視して発光しない光ファイバ心線の有無を検査する方法がある。
【先行技術文献】
【特許文献】
【０００４】
【特許文献１】実用新案登録第３１６６０７１号公報
【特許文献２】特開平５−１８０７２８号公報
【発明の概要】
【発明が解決しようとする課題】
【０００５】
光により接続される光コネクタでは、光コネクタどうしの接続状態の確認が難しい場合がある。
【０００６】
本願の開示技術は、１つの側面として、光コネクタどうしの接続状態の確認を容易にすることが目的である。
【課題を解決するための手段】
【０００７】
本発明に係る接続装置では、光により接続される一方の光コネクタの端子に導光部材から光を導き、他方の光コネクタの端子を通った前記光を視認部材で視認する。
【発明の効果】
【０００８】
本発明に係る接続装置によれば、光コネクタどうしの接続状態の確認が容易になる。
【図面の簡単な説明】
【０００９】
【図１】図１は第１実施形態の計算機システムを示す斜視図である。
【図２】図２は第１実施形態の計算機ユニット及び整線装置を示す斜視図である。
【図３】図３は第１実施形態の計算機ユニット及び整線装置を示す平面図である。
【図４】図４は第１実施形態の接続装置を部分的に拡大して示す平面図である。
【図５】図５は第２実施形態の接続装置を部分的に拡大して示す平面図である。
【図６】図６は第３実施形態の接続装置を部分的に拡大して示す平面図である。
【図７】図７は第４実施形態の接続装置を部分的に拡大して示す平面図である。
【図８】図８は第５実施形態の接続装置を部分的に拡大して示す平面図である。
【図９】図９は第６実施形態の接続装置を部分的に拡大して示す平面図である。
【図１０】図１０は第７実施形態の接続装置を部分的に拡大して示す平面図である。
【図１１】図１１は第８実施形態の接続装置を示す平面図である。
【図１２】図１１は第９実施形態の接続装置を示す平面図である。
【発明を実施するための形態】
【００１０】
第１実施形態について、図面に基づいて詳細に説明する。
【００１１】
図１には、第１実施形態の並列計算機システム（以下、単に「計算機システム」という）１２が示されている。計算機システム１２は、複数の計算機ユニット１４を有する。図１に示す例では、複数の計算機ユニット１４が、３次元、すなわち、互いに直交するＸ方向、Ｙ方向およびＺ方向に並べて配置される。そして、複数の計算機ユニット１４が、Ｘ方向、Ｙ方向又はＺ方向のそれぞれの方向で、光ケーブル１８によりループ状に接続される。これにより、計算機システム１２の全体では、計算機ユニット１４どうしが、光ケーブル１８によって直接的に、又は光ケーブル１８と他の計算機ユニット１４を介して接続される。なお、計算機ユニット１４をＸ方向、Ｙ方向及びＺ方向に並べる台数は特に限定されない。
【００１２】
図２及び図３には、第１実施形態の計算機ユニット１４及び整線装置１６が示されている。計算機ユニット１４の筐体２０には、１枚又は複数枚（図３では２枚が示される）の基板２２が配置される。基板２２のそれぞれは、筐体２０の一端２０Ａ側の開口から、筐体２０内に抜き差しされる。基板２２の筐体２０に挿入する方向を、図２及び図３に矢印Ａ１で示す。
【００１３】
基板２２と整線装置１６とは、接続装置５８を介することで、光により接続される。接続装置５８は、後述するように、光コネクタ対２４（第１光コネクタ２６及び第２光コネクタ２８）、第１光ファイバ４６及び第２光ファイバ４８を有する。
【００１４】
基板２２の他端（筐体２０に挿入される際の奥側の辺）２２Ｂには、第１光コネクタ２６が取り付けられる。図３に示す例では、第１光コネクタ２６は、１枚の基板２２において、合計で６つ備えられ、基板２２の他端２２Ｂにそって並べて配置される。
【００１５】
基板２２上には、演算処理装置３０が搭載される。図３に示す例では、演算処理装置３０は、ＣＰＵ（Ｃｅｎｔｒａｌ  Ｐｒｏｃｅｓｓｉｎｇ  Ｕｎｉｔ）３２と中継モジュール３４との間で、電気信号により情報の授受を行う。中継モジュール３４と第１光コネクタ２６との間では、光電変換モジュール３６により、中継モジュール３４側（電気信号）と第１光コネクタ２６側（光信号）とで信号が光電変換される。光電変換モジュール３６と第１光コネクタ２６とは、通信光ケーブル４２によって接続される。
【００１６】
筐体２０の他端２０Ｂ側には、整線装置１６が備えられる。第１実施形態の整線装置１６は、整線ボックス３８を有する。
【００１７】
整線ボックス３８の一端３８Ａ側には、図３及び図４に示すように、第１光コネクタ２６と一対一で接続される第２光コネクタ２８が備えられる。図３及び図４に示す例では、２枚の基板２２に対し、１つの整線装置１６が設けられるので、第２光コネクタ２８は１つの整線ボックス３８につき１２個である。
【００１８】
整線装置１６の整線ボックス３８の他端３８Ｂ側には、外部コネクタ４０が備えられる。外部コネクタ４０は、整線装置１６の１つにつき、Ｘ方向、Ｙ方向及びＺ方向のそれぞれにおけるプラス（＋）とマイナス（−）に対応し、６つ備えられる。
【００１９】
整線装置１６の内部では、第２光コネクタ２８と外部コネクタ４０との間が複数の通信光ケーブル４４で光により接続される。通信光ケーブル４４により、Ｘ方向、Ｙ方向及びＺ方向のそれぞれにおけるプラス（＋）とマイナス（−）に対応するように、第２光コネクタ２８と外部コネクタ４０が並び替え（整線）される。
【００２０】
基板２２のそれぞれには、光源５０が搭載される。図３及び図４に示す例では、１枚の基板２２につき、１つの光源５０が搭載される。光源５０と第１光コネクタ２６のそれぞれとは、第１光ファイバ４６で接続される。第１光ファイバ４６は、第１光コネクタ２６において、第２光コネクタ２８との光信号の授受に用いられていない端子（ピン）に、光源５０から導光する。第１光ファイバ４６は導光部材の一例である。
【００２１】
整線装置１６は、視認部材５６を有する。視認部材５６は、図３及び図４に示す例では、第２光ファイバ４８と窓部材５２を備える。
【００２２】
窓部材５２は、整線装置１６の整線ボックス３８の他端３８Ｂ側に備えられる。窓部材５２は、第２光コネクタ２８と一対一で対応している。第２光コネクタ２８のそれぞれと、窓部材５２のそれぞれとは、第２光ファイバ４８で接続される。第２光ファイバ４８は、第２光コネクタ２８において、第１光コネクタ２６との光信号の授受に用いられていない端子（ピン）から、窓部材５２に導光する。
【００２３】
窓部材５２は、たとえば、内部を光が通過可能な筒状の部材である。窓部材５２は、第２光コネクタ２８が接続された側と反対側が目視部５４である。
【００２４】
第１光コネクタ２６と第２光コネクタ２８とが正常に接続された状態で光源５０が発光すると、この光が、第１光ファイバ４６、第１光コネクタ２６、第２光コネクタ２８及び第２光ファイバ４８を経て、窓部材５２に達する。すなわち、目視部５４側から窓部材５２を見て、光源５０の光が届いているか否かを確認することで、第１光コネクタ２６と第２光コネクタ２８とが正常に接続されているか否かを確認できる。
【００２５】
窓部材５２には、目視部５４に光を導いたり、視認性を高めたりするためのレンズや拡散板等が設けられて、視認性が高められていてもよい。
【００２６】
第１実施形態では、第１光コネクタ２６が「一方の光コネクタ」であり、第２光コネクタ２８が「他方の光コネクタ」である。また、基板２２が「第１取付部材」の一例である。
【００２７】
次に、本実施形態の作用を説明する。
【００２８】
図２及び図３に矢印Ａ１で示すように、筐体２０の一端２０Ａ側の開口から、基板２２を筐体２０に挿入し、整線装置１６の第２光コネクタ２８に、基板２２の第１光コネクタ２６を接続する。そして、光源５０を発光させると、光源５０の光は、第１光ファイバ４６から第１光コネクタ２６の端子（第２光コネクタ２８との光信号の授受に用いられていない端子）に導かれる。
【００２９】
ここで、図４に示すように、第１光コネクタ２６と第２光コネクタ２８とが確実に接続されていると、光源５０の光は、第１光コネクタ２６の端子から、第２光コネクタ２８の端子を通る。そして、この光は、第２光コネクタ２８の端子から、第２光ファイバ４８を通って窓部材５２に達する。したがって、目視部５４を目視で確認し、この光を視認できれば、第１光コネクタ２６と第２光コネクタ２８とが確実に接続されていると判断できる。
【００３０】
これに対し、目視部５４を目視し光が確認できない場合（あるいは想定よりも光が微弱である場合）は、第１光コネクタ２６と第２光コネクタ２８との接続が不確実であると判断できる。この場合は、たとえば、基板２２を筐体２０内に再挿入する等により、第１光コネクタ２６と第２光コネクタ２８との再接続を行えばよい。
【００３１】
なお、第１光コネクタ２６と第２光コネクタ２８の接続状態の確認が終われば、光源５０の発光を停止する。
【００３２】
このように、第１実施形態では、窓部材５２の目視部５４を視認することで、第１光コネクタ２６と第２光コネクタ２８との接続状態を確認できる。特に、第１光コネクタ２６は、第２光コネクタ２８と接続された状態で、筐体２０の手前側から離れた位置にあるので、筐体２０の手前側から接続状態を直接目視して確認することは難しい。
【００３３】
なお、第１光コネクタ２６は、第２光コネクタ２８との接続が不完全であると、正常な接続状態と比較して、図３における左側に位置することがある。たとえば、基板２２の矢印Ａ１方向への挿入長が不十分であると、第１光コネクタ２６と第２光コネクタ２８の接続が不十分になる。このため、棒などを筐体２０の一端２０Ａ側から挿入し、この棒が第１光コネクタ２６に接触したときの挿入長から、第１光コネクタ２６の位置を知ることができる。そして、第１光コネクタ２６の位置を知ることで、第１光コネクタ２６と第２光コネクタ２８との接続状態を確認できる。しかし、この作業は、棒を筐体２０内に挿入して第１光コネクタ２６に接触させるため、困難な場合がある。これに対し、本実施形態では、窓部材５２の目視部５４を目視するので、第１光コネクタ２６と第２光コネクタ２８との接続状態の確認が容易である。
【００３４】
また、第１光コネクタ２６と第２光コネクタ２８の接続状態の確認のためにセンサを設ける方法も考えられる。しかし、センサを設けると、センサ自体や、センサと電気信号の授受を行うケーブル等を配設するため、コスト高を招くことがある。本実施形態では、このようなセンサを設けることなく、第１光コネクタ２６と第２光コネクタ２８の接続状態を確認でき、コストの上昇を抑制できる。
【００３５】
第１実施形態では、１つの光源５０が複数（図１に示す例では６つ）の第１光コネクタ２６で共通化されるので、たとえば、第１光コネクタ２６のそれぞれに光源を設けた構造と比較して、低コスト化や軽量化を図ることができる。なお、任意の複数の第１光コネクタ２６をグループ化し、グループごとに１つの光源を備える構造であっても、第１光コネクタ２６のそれぞれに光源を設けた構造と比較して、低コスト化や軽量化を図ることが可能である。
【００３６】
光源５０の光は、第１光ファイバ４６によって第１光コネクタ２６に導かれる。第１光ファイバ４６がない構造、たとえば、光源５０の光を第１光コネクタ２６に直接照射する構造と比較して、光の拡散を抑制し、光を第１光コネクタ２６に導くことができる。また、光源５０の光を第１光ファイバ４６によって第１光コネクタ２６に導くので、光源５０を第１光コネクタ２６から離して配置できる。さらには、光源５０と第１光コネクタ２６との直線経路に他の部材があっても光源５０の光を第１光コネクタ２６に導くことができる。これらにより、基板２２の設計や部材配置の自由度が高い。
【００３７】
第１光ファイバ４６は、複数の第１光コネクタ２６と同数設けられ、第１光コネクタ２６と第１光ファイバ４６とが一対一で対応している。したがって、第１光コネクタ２６のそれぞれに対し、光源５０から確実に導光できる。
【００３８】
第１実施形態では、第１光コネクタ２６及び光源５０は、基板２２に取り付けられる。基板２２は第１取付部材の一例である。すなわち、第１光コネクタ２６及び光源５０を、共通の第１取付部材に取り付けて一体化できるので、たとえば、光源５０が基板２２と別体である構造と比較して、取り扱いが容易である。
【００３９】
第１実施形態では、視認部材が、窓部材５２及び第２光ファイバ４８を備えており、第２光コネクタ２８から窓部材５２へ確実に導光できる。そして、窓部材５２の目視部５４を目視することで、第１光コネクタ２６と第２光コネクタ２８の接続状態を容易に確認できる。
【００４０】
特に、１つの整線装置１６は、複数（図３及び図４に示す例では１２個）の第２光コネクタ２８を有し、窓部材５２も第２光コネクタ２８と同数有する。そして、第２光ファイバ４８のそれぞれが、第２光コネクタ２８から窓部材５２に導光する。複数の第２光コネクタ２８と窓部材５２とを一対一で対応させるので、複数の光コネクタ対２４を区別して、接続状態を確認できる。
【００４１】
次に、第２実施形態の接続装置６２について説明する。なお、以下の第２実施形態〜第６実施形態において、計算機システム１２の全体的な構造は第１実施形態と同様であるので、図示を省略する。また、第２実施形態において、第１実施形態と同一の要素、部材等については同一符号を付して、詳細な説明を省略する。
【００４２】
以下では、説明の便宜上、１枚の基板２２における複数の第１光コネクタ２６と、対応する同数の第２光コネクタ２８との組み合わせをコネクタグループ６４とする。図５に示す例では、基板２２が２枚であるので、コネクタグループ６４の数も２である。そして、１つのコネクタグループ６４は、６つの光コネクタ対２４を有する。
【００４３】
第２実施形態の基板２２では、それぞれのコネクタグループ６４において、複数の第１光コネクタ２６のうち並び方向の一端の第１光コネクタ２６Ａに対し、第１光ファイバ４６が光源５０から導光する。
【００４４】
また、第２実施形態では、整線装置１６において、窓部材５２が、コネクタグループ６４と同数設けられる。そして、それぞれのコネクタグループ６４において、複数の第１光コネクタ２６のうち並び方向の他端の第２光コネクタ２８Ｆと窓部材５２の間で、第２光ファイバ４８が導光する。
【００４５】
コネクタグループ６４内において、並び方向の一端の第１光コネクタ２６Ａと他端の第２光コネクタ２８Ｆの間は、各々の光コネクタ対２４が光ファイバ６６によって順に接続されており、導光路６８が形成される。導光路６８を進む光を基準に考えると、第１光コネクタ２６Ａが始端であり、第２光コネクタ２８Ｆが終端である。
【００４６】
第２実施形態では、第１光コネクタ２６と第２光コネクタ２８とが確実に接続されている状態で光源５０が発光すると、光が、第１光ファイバ４６から第１光コネクタ２６Ａに入り、導光路６８を通る。すなわち、各々の光コネクタ対２４を順に光が通る。そして、光は、第２光コネクタ２８Ｆから、第２光ファイバ４８を経て窓部材５２に至る。すなわち、第２実施形態においても、窓部材５２の目視部５４を視認することで、第１光コネクタ２６と第２光コネクタ２８との接続状態を容易に確認できる。
【００４７】
第２実施形態では導光路６８が形成されており、第１光コネクタ２６Ａから第２光コネクタ２８Ｆまでを導光路６８により導光するので、第２光ファイバ４８および窓部材５２は、１つのコネクタグループにつき１つで済む。このため、整線装置１６の構造の簡素化や軽量化、低コスト化を図ることが可能である。
【００４８】
第１光ファイバ４６はコネクタグループ６４内で、第１光コネクタ２６の並び方向の始端に位置する第１光コネクタ２６Ａに接続される。第２光ファイバ４８は、コネクタグループ６４内で第２光コネクタ２８の並び方向の終端に位置する第２光コネクタ２８Ｆに接続される。そして、始端の第１光コネクタ２６Ａと終端の第２光コネクタ２８Ｆの間で、各々の光コネクタ対２４を経由する導光路６８が形成される。このため、コネクタグループ６４のすべての第１光コネクタ２６及び第２光コネクタ２８に導光できる。
【００４９】
第２実施形態では、第１光コネクタ２６が「一方の光コネクタ」の一例であり、第２光コネクタ２８が「他方の光コネクタ」の一例であると言える。ただし、第２光コネクタ２８から第１光コネクタ２６へも光が通るコネクタ対もある。このようなコネクタ対では、第２光コネクタ２８が「一方の光コネクタ」の一例であり、第１光コネクタ２６が「他方の光コネクタ」の一例であるとも言える。また、基板２２が「第１取付部材」の一例である。
【００５０】
次に、第３実施形態の接続装置７２について説明する。なお、第３実施形態において、第１実施形態又は第２実施形態と同一の要素、部材等については同一符号を付して、詳細な説明を省略する。
【００５１】
第３実施形態では、図６に示すように、整線装置１６に受光部材７４が設けられる。図６に示した例では、整線ボックス３８の他端３８Ｂ側に受光部材７４が取り付けられる。そして、コネクタグループ６４の一端側の第２光コネクタ２８Ａと受光部材７４との間に、第１光ファイバ４６が設けられる。
【００５２】
第３実施形態では、基板２２及び整線装置１６とは別体の光源７６を用いる。光源７６の光を受光部材７４に照射すると、この光は、第１光ファイバ４６から第１光コネクタ２６Ａに入り、導光路６８を通り、第２光コネクタ２８Ｆから、第２光ファイバ４８を経て窓部材５２に至る。すなわち、第３実施形態においても、窓部材５２の目視部５４を視認することで、第１光コネクタ２６と第２光コネクタ２８との接続状態を容易に確認できる。
【００５３】
第３実施形態では、第２光コネクタ２８Ａから第２光コネクタ２８Ｆまでを導光路６８により導光するので、第２光ファイバ４８および窓部材５２は、１つのコネクタグループにつき１つで済む。このため、整線装置１６の構造の簡素化や軽量化、低コスト化を図ることが可能である。
【００５４】
第１光ファイバ４６はコネクタグループ６４内で始端に位置する第２光コネクタ２８Ａに接続される。第２光ファイバ４８は、コネクタグループ６４内で終端に位置する第２光コネクタ２８Ｆに接続される。このため、コネクタグループ６４のすべての第１光コネクタ２６及び第２光コネクタ２８に導光できる。
【００５５】
第３実施形態では、光源７６が基板２２及び整線装置１６と別体である。このため、基板２２及び整線装置１６の軽量化や低コスト化を図ることができる。光源７６は、他の接続装置７２と共用できる。
【００５６】
第３実施形態では、図６から分かるように、受光部材７４と窓部材５２の双方が、整線ボックス３８の他端３８Ｂ側に配置される。光源５０によって受光部材７４を照らす作業位置と、窓部材５２を視認する作業位置とが近いので、第１光コネクタ２６と第２光コネクタ２８との接続状態の確認が容易である。
【００５７】
第３実施形態では、第２光コネクタ２８が「一方の光コネクタ」の一例であり、第１光コネクタ２６が「他方の光コネクタ」の一例であると言える。ただし、第１光コネクタ２６から第２光コネクタ２８にも光が通るコネクタ対もある。このようなコネクタ対では、第１光コネクタ２６が「一方の光コネクタ」の一例であり、第２光コネクタ２８が「他方の光コネクタ」の一例であるとも言える。また、整線ボックス３８が「第２取付部材」の一例である。
【００５８】
次に、第４実施形態の接続装置８２について説明する。なお、第４実施形態において、第１実施形態〜第３実施形態と同一の要素、部材等については同一符号を付して、詳細な説明を省略する。
【００５９】
第４実施形態では、図７に示すように、基板２２に光源５０及び第１光ファイバ４６が設けられる。第１光ファイバ４６は、コネクタグループ６４の一端側の第１光コネクタ２６Ａと接続される。第２光ファイバ４８は、コネクタグループ６４の他端側の第２光コネクタ２８Ｆと窓部材５２との間に設けられる。
【００６０】
そして、第４実施形態では、第２光コネクタ２８Ａと第２光コネクタ２８Ｂとの間、第２光コネクタ２８Ｃと第２光コネクタ２８Ｄの間、第２光コネクタ２８Ｅと第２光コネクタ２８Ｆの間が光ファイバ８４で接続される。さらに、第１光ファイバ４６Ｂと第１光ファイバ４６Ｃとの間、第１光ファイバ４６Ｄと第１光ファイバ４６Ｅとの間が光ファイバ８４で接続される。加えて、第１光コネクタ２６Ｆには、光が入射した端子と異なる端子から光を射出する光ファイバ８４Ｆが設けられる。
【００６１】
第４実施形態では、光源５０の光は、第１光ファイバ４６から第１光コネクタ２６Ａに入り、導光路６８を通り、第２光コネクタ２８Ｆから、第２光ファイバ４８を経て窓部材５２に至る。すなわち、第４実施形態においても、窓部材５２の目視部５４を視認することで、第１光コネクタ２６と第２光コネクタ２８との接続状態を容易に確認できる。
【００６２】
第４実施形態では、第２実施形態や第３実施形態と比較して、１つのコネクタグループ６４における光ファイバ８４の数が少ないので、軽量化や低コスト化を図ることができる。
【００６３】
第４実施形態では、第１光コネクタ２６が「一方の光コネクタ」の一例であり、第２光コネクタ２８が「他方の光コネクタ」一例であるコネクタ対と、この逆の関係のコネクタ対とが交互に並ぶ。また、基板２２が「第１取付部材」の一例である。
【００６４】
次に、第５実施形態の接続装置１０２について説明する。なお、第５実施形態において、第１実施形態〜第４実施形態と同一の要素、部材等については同一符号を付して、詳細な説明を省略する。
【００６５】
第５実施形態では、図８に示すように、整線装置１６に受光部材７４が設けられる。図８に示した例では、整線ボックス３８の他端３８Ｂ側に受光部材７４が取り付けられる。そして、コネクタグループ６４の始端側の第２光コネクタ２８Ａと受光部材７４との間に、第１光ファイバ４６が設けられる。
【００６６】
第５実施形態では、第１光コネクタ２６Ａと第１光コネクタ２６Ｂとの間、第１光コネクタ２６Ｃと第１光コネクタ２６Ｄの間、第１光コネクタ２６Ｅと第１光コネクタ２６Ｆの間が光ファイバ８４で接続される。さらに、第２光ファイバ４８Ｂと第２光ファイバ４８Ｃとの間、第２光ファイバ４８Ｄと第２光ファイバ４８Ｅとの間が光ファイバ８４で接続される。
【００６７】
第５実施形態では、基板２２及び整線装置１６とは別体の光源７６を用いる。光源７６の光を受光部材７４に照射すると、光は、第１光ファイバ４６から第２光コネクタ２８Ａに入り、導光路６８を通り、第２光コネクタ２８Ｆから、第２光ファイバ４８を経て窓部材５２に至る。すなわち、第５実施形態においても、窓部材５２の目視部５４を視認することで、第１光コネクタ２６と第２光コネクタ２８との接続状態を容易に確認できる。
【００６８】
第５実施形態では、第２実施形態や第３実施形態と比較して、１つのコネクタグループ６４における光ファイバ８４の数が少ないので、軽量化や低コスト化を図ることができる。
【００６９】
また、第５実施形態では、光源７６が基板２２及び整線装置１６と別体である。このため、基板２２及び整線装置１６の軽量化や低コスト化を図ることができる。光源７６は、他の接続装置７２と共用できる。
【００７０】
第５実施形態では、第１光コネクタ２６が「一方の光コネクタ」の一例であり、第２光コネクタ２８が「他方の光コネクタ」の一例であるコネクタ対と、この逆の関係のコネクタ対とが交互に並ぶ。また、整線ボックス３８が「第２取付部材」の一例である。
【００７１】
次に、第６実施形態の接続装置１１２について説明する。なお、第６実施形態において、第１実施形態〜第５実施形態と同一の要素、部材等については同一符号を付して、詳細な説明を省略する。
【００７２】
第６実施形態では、図９に示すように、整線装置１６に光源５０が設けられる。図９に示した例では、コネクタグループ６４のそれぞれに対応して光源５０が設けられる。そして、コネクタグループ６４のそれぞれの第２光コネクタ２８と受光部材７４との間に、第１光ファイバ４６が設けられる。
【００７３】
また、第６実施形態では、それぞれの第１光コネクタ２６において、光が入射した端子と異なる端子から光を射出する光ファイバ８４Ｆが設けられる。
【００７４】
第６実施形態では、光源５０の光は、第１光ファイバ４６から第２光コネクタ２８に入る。第１光コネクタ２６と第２光コネクタ２８が確実に接続されていると、光は、第１光コネクタ２６のそれぞれに入る。そして、第１光コネクタ２６から出た光は、光ファイバ８４Ｆにより第１光コネクタ２６に戻される。この光は、第２光コネクタ２８のそれぞれから、第２光ファイバ４８を経て窓部材５２に至る。すなわち、第６実施形態においても、窓部材５２の目視部５４を視認することで、第１光コネクタ２６と第２光コネクタ２８との接続状態を容易に確認できる。
【００７５】
第６実施形態では、第２光コネクタ２８が「一方の光コネクタ」の一例であり、第１光コネクタ２６が「他方の光コネクタ」の一例であると言える。ただし、第１光コネクタ２６から第２光コネクタ２８にも光が通っており、第１光コネクタ２６が「一方の光コネクタ」の一例であり、第２光コネクタ２８が「他方の光コネクタ」の一例であるとも言える。また、整線ボックス３８が「第２取付部材」の一例である。
【００７６】
次に、第７実施形態の接続装置１２２について説明する。なお、第７実施形態において、第１実施形態〜第６実施形態と同一の要素、部材等については同一符号を付して、詳細な説明を省略する。
【００７７】
第７実施形態では、図１０に示すように、整線装置１６に受光部材７４が設けられる。図１０に示した例では、整線ボックス３８の他端３８Ｂ側に受光部材７４が取り付けられる。そして、コネクタグループ６４のそれぞれの第２光コネクタ２８と受光部材７４との間に、第１光ファイバ４６が設けられる。
【００７８】
また、第７実施形態では、それぞれの第１光コネクタ２６において、光が入射した端子と異なる端子から光を射出する光ファイバ８４Ｆが設けられる。
【００７９】
第７実施形態では、光源７６の光を受光部材７４に照射すると、光は、第１光ファイバ４６から第２光コネクタ２８に入る。第１光コネクタ２６と第２光コネクタ２８が確実に接続されていると、光は、第１光コネクタ２６のそれぞれに入る。そして、第１光コネクタ２６から出た光は、光ファイバ８４Ｆにより第１光コネクタ２６に戻される。この光は、第２光コネクタ２８のそれぞれから、第２光ファイバ４８を経て窓部材５２に至る。すなわち、第６実施形態においても、窓部材５２の目視部５４を視認することで、第１光コネクタ２６と第２光コネクタ２８との接続状態を容易に確認できる。
【００８０】
また、第７実施形態では、光源７６が基板２２及び整線装置１６と別体である。このため、基板２２及び整線装置１６の軽量化や低コスト化を図ることができる。光源７６は、他の接続装置７２と共用できる。
【００８１】
第７実施形態では、第２光コネクタ２８が「一方の光コネクタ」の一例であり、第１光コネクタ２６が「他方の光コネクタ」の一例であると言える。ただし、第１光コネクタ２６から第２光コネクタ２８にも光が通っており、第１光コネクタ２６が「一方の光コネクタ」の一例であり、第２光コネクタ２８が「他方の光コネクタ」の一例であるとも言える。また、整線ボックス３８が「第２取付部材」の一例である。
【００８２】
次に、第８実施形態について説明する。第８実施形態の接続装置１３２では、筐体２０の内部に中間板１２４が設けられる。中間板１２４の両側には、１枚又は複数枚の基板１２６、１２８が矢印Ａ１方向に挿入される。基板１２６に設けられた第１光コネクタ２６と、基板１２８に設けられた第２光コネクタ２８とは同数である。中間板１２４には、第１光コネクタ２６と同数の中継コネクタ１３０が設けられる。第１光コネクタ２６と第２光コネクタ２８とは、中継コネクタ１３０を介して接続される。
【００８３】
基板１２６には光源５０及び第１光ファイバ４６が設けられる。図１１に示す例では、光源５０の数は、１枚の基板２２あたり１つであり、第１光ファイバ４６は、第１光コネクタ２６と同数である。そして、光源５０の光は、第１光ファイバ４６を通り、第１光コネクタ２６に導かれる。
【００８４】
基板１２８には、窓部材５２及び第２光ファイバ４８が設けられる。図１１に示す例では、窓部材５２及び第２光ファイバ４８は、第２光コネクタ２８と同数である。そして、第２光コネクタ２８の光が、それぞれの第２光ファイバ４８から、窓部材５２に導かれる。
【００８５】
第８実施形態では、第１光コネクタ２６と第２光コネクタ２８とが中継コネクタ１３０を介して接続されている状態で光源５０が発光すると、光が、第１光ファイバ４６から第１光コネクタ２６に入り、中継コネクタ１３０を経て、第２光コネクタ２８に達する。そして、第２光ファイバ４８を経て窓部材５２に至る。すなわち、第８実施形態においても、窓部材５２の目視部５４を視認することで、第１光コネクタ２６と第２光コネクタ２８との接続状態を容易に確認できる。
【００８６】
第８実施形態では、第１光コネクタ２６が「一方の光コネクタ」であり、第２光コネクタ２８が「他方の光コネクタ」である。また、基板１２６が「第１取付部材」の一例である。
【００８７】
次に、第９実施形態について説明する。図１２に示すように、第９実施形態の整線装置１４２は、第１実施形態の整線ボックス３８に代えて、整線シート１４４を有する。整線シート１４４には、通信光ケーブル４４の中間部分が取り付けられる。通信光ケーブル４４により、第１実施形態と同様に、第２光コネクタ２８と外部コネクタ４０とが並び替え（整線）される。
【００８８】
第９実施形態の整線装置１４２は、第１実施形態の整線装置１６に代えて使用され、たとえば、筐体２０（図３参照）の底面や側面に、整線シート１４４が貼り付けられる。これにより、通信光ケーブル４４が、その中間部分において筐体２０に取り付けられる。このとき、第２光コネクタ２８は、筐体２０から外側（図１２では右側）にはみ出すが、通信光ケーブル４４を上方へ湾曲させることで、第２光コネクタ２８を筐体２０内の第１光コネクタ２６（図３〜図１０参照）と接続可能である。したがって、第９実施形態においても、光コネクタ対２４は、第１光コネクタ２６（図３〜図１０参照）と第２光コネクタ２８とを有する。
【００８９】
第９実施形態では、光源５０及び第１光ファイバ４６が基板２２に設けられる。そして、光源５０の光が、第１光ファイバ４６により、第１光コネクタ２６に導かれる。この構造は、たとえば、図３及び図４に示す第１実施形態の構造により実現できる。
【００９０】
整線装置１４２の第２光コネクタ２８と窓部材５２とは一対一で対応している。第２光コネクタ２８のそれぞれと、窓部材５２のそれぞれとは、第２光ファイバ４８で接続される。第２光ファイバ４８は、第２光コネクタ２８において、第１光コネクタ２６との光信号の授受に用いられていない端子から、窓部材５２に導光する。
【００９１】
第９実施形態では、第１光コネクタ２６と第２光コネクタ２８とが確実に接続されている状態で光源５０が発光すると、光が、第１光ファイバ４６から第１光コネクタ２６を通る。そして、この光が、第２光コネクタ２８から、第２光ファイバ４８を経て窓部材５２に至る。すなわち、第９実施形態においても、窓部材５２の目視部５４を視認することで、第１光コネクタ２６と第２光コネクタ２８との接続状態を容易に確認できる。
【００９２】
上記では、光コネクタ対２４を複数備えた構造を例として説明したが、たとえば、光コネクタ対２４が１つのみであってもよい。すなわち、第１光コネクタ２６と第２光コネクタ２８とを有する１つの光コネクタ対２４において、一方の光コネクタの端子に導光部材で光を導き、他方の光コネクタの端子を通った光を視認部材で視認する構造を採り得る。そして、光コネクタ対２４が１つのみであっても、視認部材で光を視認することで、一方の光コネクタと他方の光コネクタとの接続状態の確認が容易である。
【００９３】
以上、本発明の実施形態について説明したが、本発明は、上記に限定されるものでなく、上記以外にも、その主旨を逸脱しない範囲内において種々変形して実施可能であることは勿論である。
【００９４】
本明細書は、以上の実施形態に関し、さらに以下の付記を開示する。
（付記１）
光により接続される第１光コネクタ及び第２光コネクタを備える光コネクタ対と、
前記第１光コネクタ及び前記第２光コネクタのいずれか一方の光コネクタの端子に光を導く導光部材と、
前記一方の光コネクタの端子から他方の光コネクタの端子を通った前記光を視認するための視認部材と、
を有する接続装置。
（付記２）
前記接続装置はさらに、前記光コネクタ対を複数有し、
前記導光部材が、複数の前記光コネクタ対のそれぞれにおける前記一方の光コネクタの端子に導光する付記１に記載の接続装置。
（付記３）
前記導光部材が、
光源から前記一方の光コネクタの端子に導光する第１光ファイバを有する付記１又は付記２に記載の接続装置。
（付記４）
前記第１光ファイバを前記光コネクタ対と同数有し、
前記一方の光コネクタの端子のそれぞれへ前記光源から前記第１光ファイバにより導光する付記３に記載の接続装置。
（付記５）
前記第１光コネクタ及び前記第１光ファイバが取り付けられる第１取付部材を有し、
前記光源が前記第１取付部材に取り付けられる付記３又は付記４に記載の接続装置。
（付記６）
前記第２光コネクタが取り付けられる第２取付部材を有し、
前記光源が前記第１取付部材及び前記第２取付部材と別体である付記５に記載の接続装置。
（付記７）
前記視認部材が、
視認用の窓部材と、
前記光を前記他方の光コネクタから前記窓部材に導く第２光ファイバと、
を有する付記１〜付記６のいずれか１つに記載の接続装置。
（付記８）
前記窓部材及び前記第２光ファイバを前記光コネクタ対と同数有し、
前記第２光ファイバのそれぞれが前記他方の光コネクタから前記窓部材へ導光する付記７に記載の接続装置。
（付記９）
前記光コネクタ対を複数有し、
前記導光部材が、特定の光コネクタ対における前記一方の光コネクタから、他の光コネクタ対へ順に導光路を形成する付記１に記載の接続装置。
（付記１０）
前記視認部材が、前記導光部材による前記導光路の終端の光コネクタ対における他方の光コネクタの端子に接続される付記９に記載の接続装置。
（付記１１）
演算処理装置と、前記演算処理装置からの光信号が入力する複数の第１光コネクタと、を備える複数の計算機ユニットと、
前記第１光コネクタとそれぞれ光により接続される複数の第２光コネクタを備え、前記第２光コネクタからの信号線を並べ替えて出力する複数の整線装置と、
前記第１光コネクタ及び前記第２光コネクタのいずれか一方の光コネクタの端子に光を導く導光部材と、
前記一方の光コネクタの端子から他方の光コネクタの端子を通った前記光を視認するための視認部材と、
を有する計算機システム。
（付記１２）
演算処理装置と、前記演算処理装置からの光信号が入力する複数の第１光コネクタと、を備える複数の計算機ユニットを、
前記第１光コネクタとそれぞれ光により接続される複数の第２光コネクタを備え、前記第２光コネクタからの信号線を並べ替えて出力する複数の整線装置を介して接続し、
前記第１光コネクタ及び前記第２光コネクタのいずれか一方の光コネクタの端子に導光部材で光を導き、
前記一方の光コネクタの端子から他方の光コネクタの端子を通った前記光を視認部材で視認する計算機システムの接続方法。
【符号の説明】
【００９５】
１２  計算機システム
１４  計算機ユニット
１６  整線装置
２２  基板
２４  コネクタ対
２６  第１光コネクタ
２８  第２光コネクタ
３０  演算処理装置
３８  整線ボックス
４６  第１光ファイバ
４８  第２光ファイバ
５０  光源
５２  窓部材
５６  視認部材
５８  接続装置
６２  接続装置
６６  光ファイバ
６８  導光路
７２  接続装置
７４  受光部材
７６  光源
８２  接続装置
８４  光ファイバ
１０２      接続装置
１１２      接続装置
１２２      接続装置
１２６      基板
１２８      基板
１３２      接続装置
１４２      整線装置
１４４      整線シート
【図１】
2015191121.tif 000003
【図２】
2015191121.tif 000004
【図３】
2015191121.tif 000005
【図４】
2015191121.tif 000006
【図５】
2015191121.tif 000007
【図６】
2015191121.tif 000008
【図７】
2015191121.tif 000009
【図８】
2015191121.tif 000010
【図９】
2015191121.tif 000011
【図１０】
2015191121.tif 000012
【図１１】
2015191121.tif 000013
【図１２】
2015191121.tif 000014